(57)【要約】【課題】  従来は加工明細書を見ながら情報を手入力していたため、材料の情報を誤入力してしまうおそれがあり、更に入力作業やその後のチェックに時間も手間もかかり、作業効率が悪くコスト高になっていた。【解決手段】  本発明の材料加工注文方法は、施工現場において、施工現場で使用する材料の加工注文情報を入力して加工明細書を作成し、加工注文情報を変換手段で二次元コードに変換し、その二次元コードを電子データで又は印刷して書面で材料加工先へ送信し、材料加工先では受信した二次元コードの加工注文情報を解読手段で解読し、その加工注文情報に基づいて材料を加工する方法である。この材料加工注文方法において、二次元コードを印刷した書面を、施工現場から材料加工先へファクシミリ送信するようにすることもできる。本発明の材料の加工注文システムは、前記加工注文方法を実施するためのシステムである。【選択図】図１
2009134666.tif 000002
【特許請求の範囲】
【請求項１】
施工現場において、施工現場で使用する材料の加工注文情報を入力して加工明細書を作成し、加工注文情報を変換手段で二次元コードに変換し、その二次元コードを電子データで又は印刷して書面で材料加工先へ送信し、材料加工先では受信した二次元コードの加工注文情報を解読手段で解読し、その加工注文情報に基づいて材料を加工することを特徴とする材料加工注文方法。
【請求項２】
請求項１記載の材料加工注文方法において、二次元コードを印刷した書面を、施工現場から材料加工先へファクシミリ送信することを特徴とする材料加工注文方法。
【請求項３】
施工現場に、材料の加工注文情報を入力して加工明細書を作成する加工明細書作成手段と、作成した加工明細書を二次元コードに変換する変換手段と、二次元コードを書面化して又は電子データで材料加工先へ送信する送信手段を備え、材料加工先に、施工現場から送信される二次元コードを受信する受信手段と、受信した二次元コードの加工注文情報を解読する解読手段を備えたことを特徴とする材料加工注文システム。
【請求項４】
請求項３記載の材料加工注文システムにおいて、施工現場に、変換手段で作成した二次元コードを紙に印刷する印刷手段を備え、印刷された二次元コードを材料加工先へ送信する送信手段をファクシミリとしたことを特徴とする材料加工注文システム。
【発明の詳細な説明】
【技術分野】
【０００１】
本発明は建築工事、土木工事などの施工現場から、施工に必要な材料の加工を材料加工先に注文し、材料加工先において材料を注文に応じて加工する材料加工注文方法とそのシステムに関するものである。
【背景技術】
【０００２】
従来、建築工事、土木工事などの施工現場では、施工に必要な鉄筋、鉄板等の材料の形状、寸法、強度、重量、数量等を材料加工先（加工会社の本社、工場など）に注文し、注文に応じて加工された材料を納品させていた。この加工注文は次のようにして行なわれていた。
（１）施工現場において、必要な材料の形状、寸法、強度、重量、数量等の加工注文情報が表示された加工明細書を作成し、材料加工先へファクシミリ送信する。この加工明細書は加工明細書作成用ソフトを用いてコンピュータで作成する場合もあるが、多くの場合は手書きで作成されている。
（２）加工明細書をファクシミリで受信した材料加工先では、作業員が受信した加工明細書を見ながら加工注文情報を手作業でコンピュータに入力してデータ化する。
（３）入力した加工注文情報の入力ミスを別の作業員がチェックする。
（４）入力ミスが無ければデータ化した加工注文情報を利用して図６のような加工指示書（通称「絵符」という。）を作成し、その絵符に基づいて加工現場で材料を注文通りに加工する。
【発明の開示】
【発明が解決しようとする課題】
【０００３】
前記従来の材料加工注文方法は次のような課題がある。
（１）材料加工先の作業員が、加工明細書を見ながら注文された材料の加工注文情報を手作業でコンピュータに入力しているため入力ミスが伴う。また入力に時間と手間がかかり作業効率が悪くコスト高になっていた。
（２）入力ミスの有無を入力作業員とは別の作業員がチェックしなければならないため少なくとも二人の作業員が必要になりコスト高の一因となっていた。別の作業員がチェックをしても入力ミスを見落としてしまうおそれがあり、確実を期することは難しい。
【課題を解決するための手段】
【０００４】
本発明は、注文された加工注文情報を作業員がいちいち入力する必要がなく、入力ミスのおそれもなく、入力ミスのチェックも不要な材料加工注文方法と加工注文システムを提供するものである。
【０００５】
本件出願の材料加工注文方法は、施工現場において、施工現場で使用する材料の加工注文情報を入力して加工明細書を作成し、加工注文情報を変換手段で二次元コードに変換し、その二次元コードを電子データで又は印刷して書面で材料加工先へ送信し、材料加工先では受信した二次元コードの加工注文情報を解読手段で解読し、その加工注文情報に基づいて材料を加工する方法である。この材料加工注文方法において、二次元コードを印刷した書面を、施工現場から材料加工先へファクシミリ送信するようにすることもできる。
【０００６】
本件出願の材料加工注文システムは、施工現場に、材料の加工注文情報を入力して加工明細書を作成する加工明細書作成手段と、作成した加工明細書を二次元コードに変換する変換手段と、二次元コードを書面化して又は電子データで材料加工先へ送信する送信手段を備え、材料加工先に、施工現場から送信される二次元コードを受信する受信手段と、受信した二次元コードの加工注文情報を解読する解読手段を備えたものである。その材料加工注文システムにおいて、施工現場に、変換手段で作成した二次元コードを紙に印刷する印刷手段を備え、印刷された二次元コードを材料加工先へ送信する送信手段をファクシミリとすることもできる。
【発明の効果】
【０００７】
本件出願の請求項１記載の材料加工注文方法は、施工現場で作成した加工明細書に記載された加工注文情報を二次元コードに変換し、その二次元コードを材料加工先へ送信し、その二次元コードを電子データで又は印刷して書面で材料加工先へ送信し、材料加工先では受信した二次元コードの加工注文情報を解読手段で解読するので、注文された加工注文情報を材料加工先で入力する必要が無い。このため入力作業の手間が必要なく、入力ミスのおそれもなく、入力ミスをチェックする必要もなく、加工注文作業が簡素になり、コスト減にも資する。
【０００８】
本件出願の請求項２記載の材料加工注文方法は、施工現場で作成した二次元コードを印刷した書面を材料加工先へファクシミリ送信するようにするので、インターネットを利用できない施工現場でも二次元コードを送信して材料の加工を注文することができる。
【０００９】
本件出願の請求項３記載の材料加工注文システムは、施工現場に加工明細書作成手段と、変換手段と、送信手段を備え、材料加工先に、受信手段と、解読手段とを備え、施工現場で作成した加工明細書中の加工注文情報を二次元コードに変換し、その二次元コードの加工注文情報を材料加工先において解読し、材料加工を行うようにしたので、材料加工先において、注文された材料の加工注文情報を作業員がいちいち入力する手間が必要なく、情報を誤入力するおそれもなく、誤入力の有無のチェックも必要なくなる。材料加工注文の作業効率も大幅に向上し、コスト減にも資する。
【００１０】
本件出願の請求項４記載の材料加工注文システムは、施工現場に、作成した二次元コードを紙に印刷する印刷手段を備え、且つ、送信手段をファクシミリとし、施工現場で作成した二次元コードを紙に印刷して材料加工先へファクシミリ送信するようにしたので、インターネットを利用できない施工現場においても本方法によって材料を加工注文することができる。
【発明を実施するための最良の形態】
【００１１】
（実施形態１）
本発明の材料加工注文方法及びその加工注文システムの実施形態の一例を図１〜図７に基づいて説明する。この材料加工注文方法は、施工現場Ａ（図１）において、材料の形状、寸法、強度、重量、数量等の各種加工注文情報を施工現場端末器に入力して加工明細書８（図２）を作成し、入力された加工注文情報を変換手段で二次元コード６（図３、図４）に変換して、二次元コード６が付加された二次元コード付き加工明細書（図３、図４）を作成（電子データ化）する。その二次元コード付き加工明細書９を印刷して材料加工先Ｂ（図１）へファクシミリ送信し、材料加工先Ｂでは受信した二次元コード６の加工注文情報を解読手段で解読し、加工明細書８（図５）を再度電子データ化する。その加工明細書８に基づいて加工現場において材料を加工するようにした方法である。
【００１２】
前記本実施形態の材料加工注文方法は、図１に示す構成の材料加工注文システムを利用して実施される。この材料加工注文システムは施工現場Ａに施工現場端末器（例えばパソコン）１及びプリンタ２及びファクシミリ機器３が備えられ、加工先Ｂにファクシミリ機器４、材料加工先端末器５が備えられている。本発明で加工注文され、それに基づいて加工される材料は鉄筋に限らず鉄板や硬質樹脂、その他、施工現場で使用できる部材等であればどのようなものであってもよいが、この実施形態は材料が鉄筋の場合である。
【００１３】
図１の施工現場端末器１は、パソコン、モバイル機器といった各種端末器である。この施工現場端末器１はインターネットを利用できるものであっても利用できないものであってもよい。通常、施工現場においてインターネット利用環境が整うことは稀であるため、この施工現場端末器１はインターネットが利用できないものである場合が多い。この施工現場端末器１には、所望材料の加工注文情報を記載した加工明細書（図５）を作成するための加工明細書作成手段と、作成した加工明細書を二次元コード６（図３、図４参照。）に変換して出力する変換手段が備えられている。
【００１４】
前記加工明細書作成手段は、図２に示すような加工明細書作成画面７を表示して、所望する材料の加工注文情報を入力して加工明細書を作成していくための機能である。図２の加工明細書作成画面７には、材料を所望する施工現場の棟名、工区、階層、材料使用部位、材料総切重量、搬入予定日、総定尺重量等、施工現場に関する各種情報を記入する施工現場情報欄１０、材料の形番号を指定することで材料の形状を指定し、その材料の各部の寸法を指定できる形状・寸法欄１１、材料の強度が表示される強度欄１２、材料の径が表示される径欄１３、材料の切寸を指定する切寸欄１４、材料の必要本数を指定する本数欄１５、材料に関する備考を記入する備考欄１６、材料の寸法、切寸、本数から算出される材料の重量が表示される重量欄１７などが含まれている。
【００１５】
前記変換手段は、図２の加工明細書作成画面７中に設けられた出力ボタン１８を押すことにより、前記各欄１０〜１７に記入された加工注文情報を、図３に示すように二次元コード６に変換して二次元コード付き加工明細書９として出力する機能である。二次元コード６としては、図３のようなＱＲコードの他に任意の二次元コードを用いることができる。出力ボタン１８が押されることにより、この変換手段は、前記各欄１０〜１７に記入された加工注文情報を所定の順番に並べてカンマで区切ってテキストデータを作成し、施工現場端末器１の内部メモリに一時保存した上で、二次元コードの規格に基づいてテキストデータを二次元コードに変換してその画像を作成するという内部処理を行った上で、材料の加工注文情報を二次元コード６へ変換し、二次元コード付き加工明細書９として出力している。この変換手段においては、材料の加工注文情報の二次元コード６への変換と同時に、従前どおりの加工明細書８（図５参照。）も作成される。
【００１６】
図１に示すプリンタ２は、前記施工現場端末器１に接続された印刷装置である。このプリンタ２は、図４、図５に示すように、前記変換手段によって作成された二次元コード付き加工明細書９及び加工明細書８を紙に印刷することができる。印刷された加工明細書８（図５）は、施工現場Ａにおいて、誤発注の有無の確認用等に用いられる。
【００１７】
図１に示すファクシミリ機器３は、施工現場Ａから材料加工先Ｂへ図４に示す二次元コード付き加工明細書９をファクシミリ送信することができるファクシミリである。
【００１８】
図１に示すファクシミリ機器４は、材料加工先Ｂに設けられたファクシミリであって、前記施工現場Aのファクシミリ機器３によって送信された二次元コード付き加工明細書９を受信することができるものである。このファクシミリ機器４は、受信した二次元コード付き加工明細書９を画像データとして保存することができ、その画像データは、ファクシミリ機器４と接続されている材料加工先端末器５によって読み出せるようにしてある。
【００１９】
図１に示す材料加工先端末器５は、パソコン、モバイル機器等、各種端末器である。この材料加工先端末器５は、前記ファクシミリ機器から送信されてくる二次元コード６の加工注文情報を解読する解読手段を備える。材料加工先端末器５は、インターネットを利用できるものであっても利用できないものであってもよい。この解読手段によって解読された加工注文情報は、材料加工先端末器５の内部メモリに、自在に利用できるように保存される。材料加工先端末器５の内部メモリに保存された加工注文情報は、例えば図６に示すような、加工指示書（通称「絵符」という。）２０として印刷し、この絵符２０に基づいて、加工現場に指示して材料加工を行わせるようにすることができる。もっとも、材料加工先端末器５がインターネットを利用できるものであれば、絵符２０を印刷せずに、加工注文情報を電子メール等によって直接加工現場に送信して加工現場に指示して材料加工を行わせるようにすることもできる。
【００２０】
（材料加工注文方法の実行例）
前記材料加工注文システムを用いて材料加工注文方法を実行する場合の実行例について、図７のフローチャートを用いて説明する。
（１）施工現場Ａにおいて、作業員が施工現場端末器１を操作し、加工明細書作成画面７の所定欄１０〜１７に所望する材料の加工注文情報を入力して加工明細書を作成する（Ｓ１）。
（２）加工明細書が完成したら、加工明細書作成画面７中に設けられた出力ボタン１８を押し、前記各欄１０〜１７に記入された加工注文情報を、図３に示すように二次元コード６に変換し、二次元コード付き加工明細書９として出力する（Ｓ２）。なお、この二次元コード６への変換と同時に、従前どおりの加工明細書８（図５参照。）も作成される。
（３）変換手段によって作成された二次元コード付き加工明細書９と、それと同時に作成された加工明細書８を、図４、図５に示すように、プリンタ２によって紙に印刷する（Ｓ３）。ここで、印刷された加工明細書８を用いて、施工現場Ａにおいて誤発注が無いか確認する。
（４）印刷した二次元コード付き加工明細書９を、ファクシミリ機器３によって、施工現場Ａから材料加工先Ｂへ図４に示す二次元コード６をファクシミリ送信する（Ｓ４）。
（５）施工現場Ａから送信された二次元コード付き加工明細書９をファクシミリ機器４によって受信する（Ｓ５）。
（６）ファクシミリ機器４は、二次元コード付き加工明細書９を受信すると、その二次元コード付き加工明細書９を画像データとして保存する（Ｓ６）。
（７）ファクシミリ機器４に保存された画像データを、ファクシミリ機器４と接続されている材料加工先端末器５によって読み出す（Ｓ７）。
（８）材料加工先端末器５では、前記ファクシミリ機器４から送信されてくる二次元コード付き加工明細書９中の二次元コード６の加工注文情報を解読する（Ｓ８）。解読された加工注文情報は、材料加工先端末器５の内部メモリに、自在に利用できるように保存される。
（９）解読された加工注文情報が材料加工先端末器５の内部メモリに保存されると、その加工注文情報を絵符２０として印刷し、この絵符２０に基づいて、加工現場に指示して材料加工を行わせるようにすることができる（Ｓ９）。材料加工先端末器５がインターネットを利用可能であれば、絵符２０を印刷せずに、加工注文情報を電子メール等によって直接加工現場に送信して加工現場に指示して材料加工を行わせるようにすることもできる（Ｓ１０）。
上記（１）〜（９）の工程を繰り返すことにより、連続して材料加工注文方法を実行することができる。
【００２１】
（実施形態２）
本発明の材料加工注文方法及び材料加工注文システムにおいては、ファクシミリ機器１が、受信した二次元コード付き加工明細書９を画像データとして保存する代わりに、紙に印刷して出力するようにすることもできる。その場合、材料加工先端末器５には、二次元コード６を解読可能な二次元コード解読装置を外付けしておき、その二次元コード解読装置によって、紙に印刷された二次元コード６の加工注文情報を解読し、材料加工先端末器５の内部メモリに、保存されるようにする。
【００２２】
（実施形態３）
本発明の材料加工注文方法及び材料加工注文システムにおいては、施工現場端末器１を、インターネットを利用できるものとし、施工現場端末器１で作成した二次元コード又は加工明細書を材料加工先端末器５へ直接電子メールで送信するようにすることもできる。その場合、プリンタ２、ファクシミリ機器３、ファクシミリ機器４を省略することができる。
【産業上の利用可能性】
【００２３】
本発明の材料加工注文方法及び材料加工注文システムは、各種材料の加工注文に限られず、他の任意の注文製品の加工注文方法及び加工注文システムとして応用することもできる。
【図面の簡単な説明】
【００２４】
【図１】本発明の材料加工注文システムの実施形態の一例を示すブロック図。
【図２】加工明細書作成画面の一例を示す説明図。
【図３】加工明細書を二次元コードに変換した画面の一例を示す説明図。
【図４】完成した二次元コード付き加工明細書を紙に印刷したものの一例を示す説明図。
【図５】完成した加工明細書を紙に印刷したものの一例を示す説明図。
【図６】加工指示書（絵符）の一例を示す説明図。
【図７】本発明の材料加工注文システムを用いて材料加工注文方法を実行する場合の実行例を示すフローチャート。
【符号の説明】
【００２５】
Ａ  施工現場
Ｂ  材料加工先
１  施工現場端末器
２  プリンタ
３  ファクシミリ機器（送信用）
４  ファクシミリ機器（受信用）
５  材料加工先端末器
６  二次元コード
７  加工明細書作成画面
８  加工明細書
９  二次元コード付き加工明細書
２０  加工指示書（絵符）
【図１】
2009134666.tif 000003
【図２】
2009134666.tif 000004
【図３】
2009134666.tif 000005
【図４】
2009134666.tif 000006
【図５】
2009134666.tif 000007
【図６】
2009134666.tif 000008
【図７】
2009134666.tif 000009